(57)【要約】  円形状の断面を有する導光体１０と、上記円形状の断面の円周の一部分に設けられ、散乱光を上記導光体内部に発する散乱体１１と、上記導光体から放出された光を集光し、線状、または面状、または点状の光に変換する集光レンズ１２とを備えた照明装置とする。  光源からの光を有効に利用するとともに、必要な照射領域に効率よく光を照射することが可能な照明装置を提供する。また、このような照明装置を用いて、高速で読み取りが可能な画像読み取り装置を提供する。【特許請求の範囲】
【請求項１】
円形状の断面を有する導光体と、上記円形状の断面の円周の一部分に設けられ、散乱光を上記導光体内部に発する散乱体と、上記導光体から放出された光を集光し、線状、または面状、または点状の光に変換する集光レンズとを備えたことを特徴とする照明装置。
【請求項２】
導光体は円柱形状であり、散乱体が円柱導光体の側面に軸方向に沿って設けられており、集光レンズは円筒レンズであり、上記円柱導光体から放出された光を線状の光に変換することを特徴とする請求項１記載の照明装置。
【請求項３】
導光体は球形状であり、散乱体が球状導光体の球面の一箇所に設けられており、集光レンズは凸レンズであり、上記球状導光体から放出された光を所定の大きさの面状または点状の光に変換することを特徴とする請求項１記載の照明装置。
【請求項４】
導光体は円錐形状であり、散乱体が円錐導光体の側面に軸方向に沿って設けられると共に、上記散乱体は上記円錐導光体の底面に設置された光源からの光を散乱し、集光レンズは円筒レンズであり、上記円錐導光体から放出された光を線状の光に変換することを特徴とする請求項１記載の照明装置。
【請求項５】
散乱体は、円柱導光体の軸方向端面の両側または片側に設置された光源からの光を散乱することを特徴とする請求項２記載の照明装置。
【請求項６】
円柱導光体と光源との間に空隙があることを特徴とする請求項５記載の照明装置。
【請求項７】
円柱導光体と円筒レンズとを軸方向に複数本接続することを特徴とする請求項２記載の照明装置。
【請求項８】
円筒レンズの数が、円柱導光体の数より少ないことを特徴とする請求項７記載の照明装置。
【請求項９】
導光体と集光レンズとを端部、または一部で結合することを特徴とする請求項１記載の照明装置。
【請求項１０】
散乱体は、複数の波長の光を放出する光源からの光を散乱することを特徴とする請求項１記載の照明装置。
【請求項１１】
原稿が配置される透明平板と、上記原稿が配置される原稿面に光を照射する請求項１記載の照明装置と、上記原稿面から反射された光、または上記原稿面を透過した光を集光する光学系と、上記光学系の結像部に設けられ、上記原稿の画像を読み取るセンサとを備えたことを特徴とする画像読取装置。
【発明の詳細な説明】
【技術分野】
【０００１】
本発明は、照明装置に関するものであり、とくに照射必要領域の光強度の向上に関するものである。また、本発明はこのような照明装置を用いた画像読み取り装置に関するものである。
【背景技術】
【０００２】
画像読み取り装置等に用いられる従来の照明装置は、多数配置したＬＥＤ等の光源と、この光源から発せられた光を導く透明部材とで構成され、この光源からの光を前記透明部材内に進行させてライン状の読み取り対象領域に導くことにより、原稿面を均一に照明していた（例えば、特許文献１参照。）。【０００３】
また、他の例による照明装置は、導光体として出射面が凸状の曲面である透明棒を用い、上記曲面に対向する平面に光拡散領域を設け、さらに透明棒の両端側に光源としてＬＥＤ素子を設置して線状照明装置を実現していた（例えば、特許文献２参照。）。【０００４】
【特許文献１】特開２００１−７７９７５号公報
【特許文献２】特開２００２−２３２６４８号公報
【発明の開示】
【発明が解決しようとする課題】
【０００５】
しかしながら、特許文献１に記載された従来の照明装置には、光源からの光を透明部材内で進行させる際に、上記透明部材で構成される組み合わせレンズの形状が複雑であり、また上記組み合わせレンズの製造に高い精度が要求されるという問題があった。【０００６】
また、特許文献２に記載された従来の照明装置では、透明棒の断面形状は、凸状の曲線が、上記曲線と対向する辺の両端でそれぞれ直角に連続してつながっており、透明棒の両側面に平面部があるため、その平面部で反射された光が照明領域と異なる方向に放射されてしまい、光利用効率が低下するという問題があった。【０００７】
本発明は、かかる問題点を解決するためになされたもので、簡単な構成により、光源からの光を有効に利用するとともに、必要な照射領域に効率よく光を照射することが可能な照明装置を提供するものである。【０００８】
また、このような照明装置を用いて、高速で読み取りが可能な画像読み取り装置を提供することを目的とする。
【課題を解決するための手段】
【０００９】
この発明に係る照明装置は、円形状の断面を有する導光体と、上記円形状の断面の円周の一部分に設けられ、散乱光を上記導光体内部に発する散乱体と、上記導光体から放出された光を集光し、線状、または面状、または点状の光に変換する集光レンズとを備えたものである。【００１０】
また、この発明に係る画像読み取り装置は、原稿が配置される透明平板と、上記原稿が配置される原稿面に光を照射する照明装置と、上記原稿面から反射された光、または上記原稿面を透過した光を集光する集光光学系と、上記集光光学系の結像部に設けられ、上記原稿の画像を読み取るセンサとを備えたものであり、上記照明装置を本発明の照明装置により構成するものである。
【発明の効果】
【００１１】
この発明の照明装置は、導光体の断面形状が円形状であるので、導光体より放射される光は照明領域と著しく異なる方向に放射されることがなく、また、集光レンズにより導光体から放射された光を効率よく集光して照射必要領域に導くので、必要な照射領域に効率よく光を照射することが可能となり、光強度を向上できる。【００１２】
また、この発明の画像読み取り装置は上記照明装置を用いて画像を読み取るので、光強度が向上し、高速な読み取りが可能になる。
【図面の簡単な説明】
【００１３】
【図１】本発明の実施の形態１による画像読み取り装置の短軸方向（副走査方向）の断面構成図である。
【図２】本発明の実施の形態１による画像読み取り装置の斜視構成図である。
【図３】本発明の実施の形態１による画像読み取り装置の照明光学系と従来の照明光学系の動作を説明する図である。
【図４】本発明の実施の形態２による画像読み取り装置の照明光学系の動作を説明する図である。
【図５】本発明の実施の形態３による画像読み取り装置の短軸方向（副走査方向）の断面図である。
【図６】本発明の実施の形態４に係わる照明光学系の光導入部における主走査方向の断面を示す構成図である。
【図７】本発明の実施の形態５に係わる照明光学系の光導入部における主走査方向の断面を示す構成図である。
【図８】本発明の実施の形態６に係わる照明光学系の光導入部における主走査方向の断面を示す構成図である。
【図９】本発明の実施の形態７に係わる照明光学系の光導入部における主走査方向の断面を示す構成図である。
【図１０】本発明の実施の形態８に係わる照明光学系の光導入部および中間部における主走査方向の側面を示す構成図である。
【図１１】本発明の実施の形態９による画像読み取り装置の短軸方向（副走査方向）の断面図である。
【図１２】本発明の実施の形態１０による画像読み取り装置の短軸方向（副走査方向）の断面図である。
【図１３】本発明の実施の形態１１に係る画像読み取り装置の短軸方向（副走査方向）の断面図である。
【図１４】本発明の実施の形態１１における円筒レンズ１２の形状である。
【図１５】本発明の実施の形態１２による画像読み取り装置の短軸方向（副走査方向）の断面図である。
【符号の説明】
【００１４】
１  筐体、２  カバーガラス、３  原稿、４  プラテン、５  光源、６  ロッドレンズアレイ、７  ラインセンサＩＣ、８  センサ基板、９  導光体、１０  円柱導光体、１１  散乱体、１２，１１２，２１２  円筒レンズ、１３，１４，１５  接続部、１６，５０  空隙、４１  主走査方向、４２  副走査方向、４３  原稿送り方向、５１  光源ケース、５２  赤色光源、５３  緑色光源、５４  青色光源。
【発明を実施するための最良の形態】
【００１５】
実施の形態１．
図１は、本発明の実施の形態１による画像読み取り装置の短軸方向（副走査方向）の断面構成図である。ここで、短軸方向とはラインセンサの配列されている方向に対して直交する方向のことをいい、原稿送り方向で、副走査方向とも呼ばれる。なお、長軸方向とはラインセンサの配列されている方向に平行な方向をいい、主走査方向とも呼ばれる。図２は、本発明の実施の形態１による画像読み取り装置の斜視構成図である。
該画像読み取り装置において、原稿３は、筐体１上の透明平板であるカバーガラス２とプラテン４とに挟まれ、プラテン４により紙送りされる。筐体１は、カバーガラス２下に照明光学系と読み取り光学系とを含む。照明光学系は、導光体１０、散乱体１１、及び集光レンズ１２から成る。照明光学系は、ＬＥＤなどの光源５からの放出光を原稿３の読み取り位置に導き、ガラス２を介して読み取り対象たる原稿３に光を照射する。原稿３の読み取り位置は主走査方向４１に線状をなす。読み取り光学系は、ロッドレンズアレイ６と、ラインセンサＩＣ７を搭載するセンサ基板８とを含む。原稿３からの読み取り光は、ロッドレンズアレイ６によってラインセンサＩＣ７に１対１で正像転写され、該ラインセンサＩＣ７により電気信号に変換される。原稿３はプラテン４により原稿送り方向４３に移動されるから、線状の照射光は、原稿上では副走査方向４２に走査されることとなり、最終的に原稿面全体の情報が電気信号に変換される。【００１６】
上記画像読み取り装置では、光源５からの光が原稿３に適切に到達するように照明光学系が適宜調整され、原稿３からの光がラインセンサＩＣ７に適切に到達するように読み取り光学系が適宜調整される。
以下に、本実施の形態１の照明光学系について詳細に説明する。本実施の形態の導光体１０は円柱形状であり、散乱体１１が円柱導光体１０の側面に軸方向に沿って設けられている。円柱導光体側面での散乱体１１は、円柱導光体１０の照明光が出射する面に対向する位置に設けられている。また、円柱導光体１０の軸方向端面の両側または片側には光源５が設置されており、光源５から放出された光は、円柱導光体１０内に取り込まれ、円柱導光体１０内を伝播する。円柱導光体１０を伝播する光は、円柱導光体１０の側面に軸方向に沿って設けられた散乱体１１に当たり、散乱されて一部の光が円柱導光体１０から照明光照射方向に放射される。【００１７】
図３（ａ）に本発明の実施の形態１による画像読み取り装置の照明光学系の光線図を示す。図３において、矢印が光線の進行を表す。本実施の形態１では、導光体１０が円柱形状なので、円柱導光体１０に取り込まれた光は散乱板１１で散乱され、散乱体で散乱された光２０の内、円柱導光体１０から概略照明光照射方向に放出される光以外は、円柱導光体内で全反射条件によって再び閉じ込められ（光線２１）、再度散乱体１１で散乱される。その結果、損失となる光が無い。
円柱導光体１０から概略照明光照射方向に放出される光は、集光レンズ１２で集光され、読み取り領域に集められる。本実施の形態では集光レンズ１２は円筒レンズであり、円柱導光体１０から放出される光を、図３（ａ）の紙面に垂直な方向に沿った線状の光に集光する。【００１８】
本実施の形態においては、円柱導光体１０が円柱状であるので、効率良く、ある程度指向性のそろった帯状の光を取り出すことができる。また、円柱導光体１０から放出される光は、円筒レンズ１２で効率よく線状の光に変換される。【００１９】
図３（ｂ）に従来の照明光学系の光線図を示す。ここで示す従来の照明光学系は、導光体（透明棒）９の出射面が凸状の曲面であり、透明棒の両側面に平面部があるものである。したがって、導光体９に取り込まれた光は、散乱体１１で散乱されるまでは主に導光体内を伝播するが、散乱体１１で散乱された光線２０の内、導光体９の側面（平面部）方向に散乱された光２２は、導光体９の曲面部から照明光照射方向と異なる方向に放出され、損失となる。【００２０】
このように、本実施の形態の円柱導光体１０と円筒レンズ１２の組み合わせによる照明光学系は、照明領域と著しく異なる方向に放射される光はほとんどなく、損失となる光が従来の照明光学系に比べて大幅に低減するため、光の利用効率の高い照明光学系となる。
また、集光レンズにより導光体から放射された光を効率よく集光して照射必要領域に導くので、必要な照射領域に効率よく光を照射することが可能となり、光強度を向上できる。【００２１】
ここで、円柱導光体１０は、光源５であるＬＥＤのサイズ、装置の小型化などを考慮して、直径２ｍｍから５ｍｍ、好ましくは３ｍｍから４ｍｍが適当である。この場合、円筒レンズ１２の曲率半径を２ｍｍから４ｍｍ程度にすることにより、原稿面近傍で照明光を集光光束あるいは概略平行光束に制御できる。
また、円筒レンズ１２の円筒面を楕円面、放物面等の非球面形状にしてもよい。そうすることにより、さらに照明光束を効率よく制御できる。
なお、円柱導光体１０の直径は上記範囲に限定されるものではなく、本実施の形態の照明光学系を用いる装置に応じて適宜選択すればよい。また、円筒レンズの曲率半径に関しても、要求される照明光仕様に応じて決定すればよい。【００２２】
さらに、円柱導光体１０、円筒レンズ１２の材料は、透明材料であればよく、アクリル、ポリカーボネイト等の樹脂材や、ガラス材料などが利用できる。【００２３】
散乱体１１は導光体１０と光学的にカップリングしており、導光体内の光を散乱するように構成される。散乱体としては、例えば、円柱導光体１０に白色顔料を塗布したものや、円柱導光体自体にプリズム形状やエンボス形状の加工を施したものが考えられる。プリズム形状の加工を施したものとは、導光体１０の側面軸方向に沿って、その断面形状が三角形状となる切れ込みを形成したものをいう。三角形状の切れ込みは、三角錐、四角錐、三角柱の何れの形状による断面でも良い。エンボス形状の加工を施したものとは、導光体１０の側面軸方向に沿って、その断面形状が円形となる切れ込みを形成したものをいう。この場合も円形状の切れ込みは、球、円柱何れの形状による断面であっても良い。また、円形を楕円形状等に変えてもよい。何れの場合も、必ずしも連続して切れ込みを形成する必要はなく、離散的に形成しても良い。この切れ込み表面に入射した光は全反射条件から外れて反射されることにより、散乱に類似する効果を得ることができる。
更に、プリズム形状やエンボス形状を形成した場合は、導光体外の、プリズム形状やエンボス形状の形成されている部分に対向した部分、又は、導光体の光出射部以外の部分に対向する部分に、光を反射もしくは散乱する効果を有する導光体ケースを配置しても良い。これによりプリズム形状やエンボス形状の切れ込み部から導光体外にもれ出た光を再度導光体１０内に戻すことができるので、結果として散乱効果を増強することができる。この場合は、円柱導光体自体にプリズム形状やエンボス形状の加工を施したものと、このような導光体ケース内表面とを併せて散乱体と呼ぶこととする。
光源５を円柱導光体１０の一方の端面に設置した場合には、導光体１０の出射光強度は導光体１０の軸方向に沿って均一ではないものとなる。これを均一にするには、散乱体１１の散乱を導光体１０の軸方向に制御してやればよい。以下、その具体例について説明する。散乱体１１が白色顔料の塗布により形成されている場合は、その塗布を長軸方向に離散的な塗布とし、かつ、その塗布部分の長さや塗布部分間の間隔を変えることにより、長軸方向における散乱に分布を生じさせ、主走査方向（長軸方向）の照射光強度分布の均一化を図ることができる。また、散乱体１１が、プリズム形状やエンボス形状を導光体側面に加工して形成されている場合においても、同様に、その形状の大きさや間隔を変えることにより長軸方向における散乱に分布を生じさせ、主走査方向（長軸方向）の照射光強度分布の均一化を図ることができる。【００２４】
上記実施の形態では、光源５は円柱導光体１０の端面に設置するものを示したが、散乱体１１の背面に、ＬＥＤ等からなる光源を多数並べ、上記光源から放射する光を、散乱体を介して円柱導光体内で散乱させ、本実施の形態と同様に、散乱された光の一部を照明光照射方向に放射させ、残りの光を円柱導光体内に閉じ込めて再度散乱体で散乱させるようにしても良い。ここで散乱体１１の背面とは、散乱体１１の塗布された導光体１０の側面に対して導光体１０とは反対側のことをいう。散乱体１１が白色顔料の塗布によるものである場合は、顔料塗布部間にある顔料の塗布されていない位置に光源５を配置するのが光の有効利用の観点より好ましい。
また、散乱体１１を平面発光体型の自発光の散乱体で構成して、光源と散乱体を兼ねてもよい。【００２５】
本実施の形態で説明した照明光学系は他の装置に用いることもできる。この照明光学系を他の照明装置に用いることにより、本実施の形態で説明した通り、必要な照射領域に効率よく光を照射することが可能となり、また、光強度を増強することができる。【００２６】
また、上記実施の形態では導光体１０として円柱導光体、集光レンズ１２として円筒レンズを用いるものを示したが、円形状の断面を有する導光体と、上記円形状の断面の円周の一部分に設けられ、散乱光を上記導光体内部に発する散乱体と、上記導光体から放出された光を集光し、線状または所定の大きさの面状の光に変換する集光レンズとで照明光学系を構成すれば、本実施の形態と同様の効果がある。
例えば、図３において、導光体１０として球形状の導光体を用いると共に、球状導光体の球面の一箇所に散乱体１１を設け、さらに集光レンズ１２を凸レンズで構成することにより、短軸方向においては上記実施の形態と同様に、図３（ａ）に示す矢印と同じ光線の進行となり、長軸方向、即ち、図３（ａ）の紙面に垂直な方向についても、上記凸レンズにより集光することができる。従って、導光体から放出された光を、効率よく、所定の大きさの面状または点状の光に変換することができる。なお、この場合、光源５は、例えば散乱体１１の背面に設けるとよい。【００２７】
実施の形態２．
図４は、本発明の実施の形態２による画像読み取り装置の照明光学系の動作を説明する図であり、導光体端部および中間部の主走査方向の断面である。
本実施の形態において、導光体１０は円錐形状であり、散乱体１１が円錐導光体１０の側面に軸方向に沿って設けられている。円錐導光体１０の一方の端面には光源５が設置され、散乱体１１は光源５からの光を散乱する。集光レンズ１２は円筒レンズであり、円錐導光体１０から放出された光を線状の光に変換する。
本実施の形態において、短軸方向（副走査方向）の断面における光線の進行状態は、図３に示す実施の形態１の場合と同様であり、実施の形態１と同様、散乱光の利用効率が高い照明光学系となる。主走査方向においては、図４に示すように、円錐導光体１０の形状が、端面から入射された光が伝播する方向に直径が小さくなる構成であるため、照明光照射方向側の導光体内面への散乱光の入射角が伝播とともに小さくなり、円錐の頂点側にいくにしたがって全反射条件を満たさなくなってくる。このため、円錐の頂点側にいくにしたがって光が導光体外へ放出され易くなる。これにより、伝播による光の減衰が生じてもこれを補償するように導光体からの光出射の確率を増加させることにより、光の減衰の効果を打ち消すことが可能となり、導光体から出射される光の主走査方向の光強度分布を均一化することができる。【００２８】
なお、上記実施の形態２においては、導光体１０が円錐形状のものを示したが、軸方向の断面は円形状である必要があるが、この断面に直交する断面の形状は図４に示すような形状でなくてもよく、光強度分布が均一になるように、光の伝播にしたがって直径が小さくなるような形状、例えば曲線を含む形状であっても良い。【００２９】
また、本実施の形態では光強度分布を考慮し、光の伝播にしたがって直径が小さくなる導光体を示したが、短軸方向で円形状断面を有する導光体であれば、円形状断面に直交する断面形状が他の構成であっても、散乱光の利用効率が高い照明光学系となる。【００３０】
実施の形態３．
図５は、本発明の実施の形態３による画像読み取り装置の短軸方向（副走査方向）の断面構成図であり、透過型照明光による画像読み取り装置の構成を示している。
実施の形態１における照明光学系を原稿３の読み取り面に対して裏側に配置し、透過光を読み取り光学系に導いたものである。
このようにしても、実施の形態１と同様の効果がある。【００３１】
実施の形態４．
図６は、本発明の実施の形態４に係る照明光学系の光導入部における主走査方向の断面構成を示している。光源５が光源ケース５１に収納され、光源５の出射面と円柱導光体１０の端面との間に空隙５０が設けられている。
光源５から放出した光の内、円筒導光体１０の端面に達した光は、円柱導光体１０に入射するに際して、空隙５０があることにより円筒導光体の端面で屈折され、端面反射を除き全ての光が円筒導光体１０内に導かれる。円筒導光体１０内に導かれた光は、端面での屈折の結果、導光体側面への入射角が大きくなるので、空隙がない場合より全反射条件を満たす光が増え、導光体内を伝送する光が多くなるため導光効率が改善される。仮に、光源５の出射面と円筒導光体１０の端面との間を接着剤等で充填すると、接着剤と円柱導光体１０との屈折率が同じ程度なので、空隙のない場合とほぼ同様の結果となり、円筒導光体１０内に導かれた光のうち、円筒導光体内で全反射条件を満たさない光が円柱導光体１０から外部に漏れ出し、損失になる。
なお、空隙による上記効果は、光源５の出射面と円柱導光体１０の端面との間の距離、すなわち空隙の大きさが小さい程大きく、導光効率が良い。
また、本実施の形態では、光源５の出射面と円柱導光体１０の端面との間に空隙５０を設けたが、光源５の出射面と円柱導光体１０の端面とが接触している場合も、両者が光学的にカップリングしていない場合には微小ながら空隙が存在する。このような場合にも上記実施の形態とほぼ同様の効果が得られる。したがって、このような微小な空隙も含めて空隙とする。【００３２】
ここで、光源５は表面からのみ、光が放射されるパッケージのＬＥＤが望ましい。
また、光源ケース５１の内面は、白色等の反射率の高い材料で構成されていることが望ましい。これにより、光源５から放出され、直接円柱導光体１０に取り込まれなかった光を再度反射させ、円柱導光体１０に導くことができる可能性が大きくなり、さらに円柱導光体１０への光取り込み効率を向上することができる。【００３３】
さらに、原稿面の主走査方向の照明光の光強度分布を均一にするために、散乱体１１で散乱される光を調節すると、片道の導光中に全ての光が放出されず、光源５を設置した円柱導光体端面と反対側の導光体端面から光が漏れ出す。そこで、円柱導光体１０の端面の片側のみに光源５を配置する場合、反対側端面は、光を反射する構造であることが望ましい。
また、円柱導光体１０の両側端面に光源５を配置する場合、光源５のパッケージ、光源ケース５１は、白色、銀色等の光反射率の高い材料で、円柱導光体１０の端面全体を覆う構成が望ましい。これにより、円柱導光体１０の端面からの漏れ光を低減できる。【００３４】
実施の形態５．
図７は、本発明の実施の形態５に係る照明光学系の光導入部における主走査方向の断面構成を示している。円柱導光体１０よりも円筒レンズ１２が主走査方向に長い。
これにより、円柱導光体の長さより広い領域での照明が可能になり、装置を小型化できる。【００３５】
実施の形態６．
図８は、本発明の実施の形態６に係わる照明光学系の光導入部における主走査方向の断面構成を示している。本実施の形態では円柱導光体と円筒レンズとを軸方向に複数本接続しており、図８（ａ）では、第１の照明系と第２の照明系の端部を接続した構成を示している。
図８（ｂ）は、図８（ａ）の構成での、原稿面上での主走査方向の光強度分布を示す。第１の照明系による原稿面上での光強度１００と第２の照明系による原稿上の光強度２００を足し合わせることで、原稿面上で均一な光強度分布３００が実現できる。３０１は第１の照明系と第２の照明系との接続位置である。
このように、照明系を複数本接続することで、幅の広い原稿を照明することができる。また、個々の照明系を短くし、複数本接続することで、原稿面上での光強度を向上でき、高速読み取りが可能になる。【００３６】
実施の形態７．
図９は、本発明の実施の形態７に係わる照明光学系の光導入部における主走査方向の断面構成を示している。実施の形態６の円筒レンズ１２を一体部品にしたものである。
接続部での光強度分布の乱れ（変動）を抑制できると共に、部品点数を低減できる。
なお、本実施の形態では２個の照明系の結合について示したが、３個以上接続する場合には、円筒レンズ１２の数が、円柱導光体１０の数より少なければ、本実施の形態と同様の効果を奏することができる。【００３７】
実施の形態８．
図１０は、本発明の実施の形態８に係わる照明光学系の光導入部および中間部における主走査方向の側面構成を示している。本実施の形態では円柱導光体１０と円筒レンズ１２を端部および中間部で接続している。また、接続部１３は円柱導光体１０および円筒レンズ１２と一体成形されている。
これにより、円柱導光体と円筒レンズの位置関係を正確に配置できるとともに、円柱導光体と円筒レンズを一体成形により製作することで、部品点数を削減できる。
ここで、例えば、接続部１３の主走査方向長さの合計を全体の長さの１％にすれば、光の損失も１％程度に抑制できる。【００３８】
実施の形態９．
図１１は、本発明の実施の形態９による画像読み取り装置の短軸方向（副走査方向）の断面図であり、円筒レンズ１２とカバーガラス２とを接続部１４で接続することにより、円筒レンズ１２とカバーガラス２とを一体部品にしたものである。
原稿３と円筒レンズ１２との位置関係を正確に配置できるとともに、部品点数を削減できる。【００３９】
実施の形態１０．
図１２は、本発明の実施の形態１０による画像読み取り装置の短軸方向（副走査方向）の断面図であり、照明系をロッドレンズアレイ６をはさんで２列配置し、原稿面を複数の照明系により照明する構成にしたものである。
原稿面に対し、両側から照明することで、光強度を向上できるとともに、原稿面のしわの陰を低減でき、しわの読み取りを抑制できる。【００４０】
実施の形態１１．
図１３は、本発明の実施の形態１１による画像読み取り装置の短軸方向（副走査方向）の断面図である。実施の形態１０で示した構成に対し、さらに、円筒レンズ１２を２列分一体部品として、ロッドレンズアレイ６を挟み込むようにしたものである。
図１４に実施の形態１１における円筒レンズ１２の形状を示す。２本の円筒レンズ１１２、２１２は接続部１５で端部が接続され、２本の円筒レンズ１１２、２１２間の空隙１６にロッドレンズアレイ６をはめ込む構成である。
読み取り光学系と円筒レンズの位置関係を正確に配置できるとともに、部品点数を削減できる。【００４１】
実施の形態１２．
図１５は、本発明の実施の形態１２による画像読み取り装置の短軸方向（副走査方向）の断面図である。円柱導光体１０の端面に複数の光源、ここでは赤色光源５２、緑色光源５３、および青色光源５４を配置したものである。図示していないが、複数の光源は、ひとつの光源ケース５１に収納されている。
このように３色光源を照明系に使用することにより、カラー読み取りが可能になる。また、赤外、紫外光等、光源の波長を選択することにより特定の波長に対する情報を選択的に読み取ることができる。これら波長の異なる光源を複数使用することにより、上記の何れも効果も選択的に得ることができる。
【図１】
2006049206.tif 000002
【図２】
2006049206.tif 000003
【図３】
2006049206.tif 000004
【図４】
2006049206.tif 000005
【図５】
2006049206.tif 000006
【図６】
2006049206.tif 000007
【図７】
2006049206.tif 000008
【図８】
2006049206.tif 000009
【図９】
2006049206.tif 000010
【図１０】
2006049206.tif 000011
【図１１】
2006049206.tif 000012
【図１２】
2006049206.tif 000013
【図１３】
2006049206.tif 000014
【図１４】
2006049206.tif 000015
【図１５】
2006049206.tif 000016
【国際調査報告】
2006049206.tif 000017
2006049206.tif 000018
2006049206.tif 000019
2006049206.tif 000020